(57)【要約】      （修正有）【課題】インターネット接続環境における仮想空間上で、顧客の書籍その他の商品の購買意欲を刺激し、利便性を図ることにより、書籍の販売促進を図ることができる商品販売促進システムを提供する。【解決手段】多数の商品を陳列した棚の写真画像を提供する販売者側システム１１と、インターネット３１を介して販売者側システム１１に接続される顧客側端末２１とから成り、販売者側システム１１は、棚を適宜区分して撮影した区分画像を合成して棚写真画像データを作成する手段と、棚に陳列された商品の個別写真画像データを作成する手段と、それらの写真画像データを記憶保存する手段と、顧客側端末２１からの要求に基づき、該当する棚写真画像データを顧客側端末２１に送信する手段とを備え、顧客側端末２１は、販売者側システム１１に、棚写真画像データを送信要求する手段と、棚写真画像データを表示する手段とを備える。【選択図】図６
2012146214.tif 000002
【特許請求の範囲】
【請求項１】
撮影対象である多数の商品を陳列した状態の棚を適宜区分して、各区分ごとにデジタルカメラで撮影を行って区分画像を得る工程と、前記区分画像を合成して、前記棚の全景及び／又は部分景の棚写真画像データを得る工程とから成り、
前記各区分ごとの撮影は一点透視図法により行い、前記一点透視図法における消滅点は、前記区分された撮影対象の内容に応じて、複数位置に設定されることを特徴とする写真画像データの作成方法。
【請求項２】
前記デジタルカメラによる各区分ごとの撮影は、前記デジタルカメラを、レーザー墨出し器、レーザー水準器、直定規、直角定規その他の測量計器を介して、垂直方向及び／又は水平方向に精確に移動させることにより行う、請求項１に記載の写真画像データの作成方法。
【請求項３】
前記デジタルカメラは、１３００万画素以上のものを用いる、請求項１又は２に記載の写真画像データの作成方法。
【請求項４】
請求項１乃至３のいずれかに記載の写真画像データの作成方法を用いた、インターネット接続環境における商品販売促進システムであって、
多数の商品を陳列した棚の写真画像を提供する販売者側システムと、インターネットを介して前記販売者側システムに接続される複数の顧客側端末とから成り、
前記販売者側システムは、前記棚を適宜区分して各区分ごとにデジタルカメラで撮影した区分画像を合成することにより、前記棚の全景及び／又は部分景の棚写真画像データを作成する手段と、前記区分画像から前記棚に陳列された商品の個別写真画像データを作成する手段と、前記棚写真画像データ及び前記個別写真画像データを記憶部に記憶保存する手段と、前記顧客側端末からの要求に基づき、該当する前記棚写真画像データ及び／又は前記個別写真画像データを前記記憶部から抽出し、インターネットを介して前記顧客側端末に送信する手段とを備え、
前記各顧客側端末は、インターネットを介して前記販売者側システムに、前記棚写真画像データ及び／又は前記個別写真画像データの送信要求をする手段と、前記販売者側システムから送信された前記棚写真画像データ及び／又は前記個別写真画像データを表示する手段とを備えていることを特徴とする、インターネット接続環境における商品販売促進システム。
【請求項５】
前記顧客側端末は更に、表示された前記棚写真画像データ及び／又は前記個別写真画像データを参照し、前記販売者側システムに購入要求を送信する手段を備え、前記販売者側システムは更に、前記顧客側端末からの購入要求を受信する手段と、前記購入要求に基づいて精算をする手段とを備える、請求項４に記載のインターネット接続環境における商品販売促進システム。
【請求項６】
前記記憶部には更に、前記棚写真画像データに含まれる個々の商品の詳細情報が、前記個別写真画像データに関連して記憶保存される、請求項４又は５に記載のインターネット接続環境における商品販売促進システム。
【請求項７】
請求項１乃至３のいずれかに記載の写真画像データの作成方法を用いた、インターネット接続環境における商品販売促進方法であって、
前記棚を適宜区分し、各区分ごとにデジタルカメラで一点透視図法により撮影して複数の区分画像を得るステップと、
前記複数の区分画像を合成して、前記棚の全景及び／又は部分景の棚写真画像データを作成するステップと、
前記区分画像から前記棚に陳列された商品の個別写真画像データを作成するステップと、
前記棚写真画像データ及び前記個別写真画像データを記憶部に記憶保存するステップと、
前記各顧客側端末から、インターネットを介して前記販売者側システムに、前記棚写真画像データ及び／又は前記個別写真画像データの送信要求をするステップと、
前記販売者側システムにおいて、前記顧客側端末からの送信要求に基づき、前記記憶部から該当する前記棚写真画像データ及び／又は前記個別写真画像データを抽出し、インターネットを介して前記顧客側端末に送信するステップと、
前記顧客側端末において、前記販売者側システムから送信された前記棚写真画像データ及び／又は前記個別写真画像データ表示するステップ
とを含むことを特徴とするインターネット接続環境における商品販売促進方法。
【請求項８】
前記顧客側端末において、前記表示された前記棚写真画像データ及び／又は前記個別写真画像データを参照し、前記販売者側システムに購入要求を送信するステップと、前記販売者側システムにおいて、前記顧客側端末からの購入要求を受信し、受信した前記購入要求に基づいて精算をするステップとを更に備える、請求項７に記載のインターネット接続環境における商品販売促進方法。
【請求項９】
請求項１乃至３のいずれかに記載の写真画像データの作成方法を用いたインターネット接続環境における商品販売促進方法の、下記ステップをコンピュータに実行させるためのプログラムが記録された記録媒体。
−前記棚を適宜区分し、各区分ごとにデジタルカメラで一点透視図法により撮影して得た複数の区分画像を合成して、前記棚の全景及び／又は部分景の棚写真画像データを作成するステップ
−前記区分画像から前記棚に陳列された商品の個別写真画像データを作成するステップ
−前記棚写真画像データ及び前記個別写真画像データを記憶部に記憶保存するステップ
−前記各顧客側端末から、インターネットを介して前記販売者側システムに、前記棚写真画像データ及び／又は前記個別写真画像データの送信要求をするステップ
−前記販売者側システムにおいて、前記顧客側端末からの送信要求に基づき、前記記憶部から該当する前記棚写真画像データ及び／又は前記個別写真画像データを抽出し、インターネットを介して前記顧客側端末に送信するステップ
−前記顧客側端末において、前記販売者側システムから送信された前記棚写真画像データ及び／又は前記個別写真画像データ表示させるステップ。
【請求項１０】
請求項１乃至３のいずれかに記載の写真画像データの作成方法を用いて作成された棚写真画像データ及び個別写真画像データ、並びに、個別商品情報を、ＣＤ、ＤＶＤその他の電子データ記録媒体に記録して成る電子出版物。
【発明の詳細な説明】
【技術分野】
【０００１】
本発明は、写真画像データの作成方法及びそれを利用したインターネット接続環境における商品販売促進システムに関するものであり、より詳細には、インターネット接続環境における仮想空間上（書籍販売サイト、電子書籍、電子カタログ等）で、顧客の購買意欲を刺激し、利便性を図ることにより、書籍等の商品の販売促進を図るための、写真画像データの作成方法及びそれを利用したインターネット接続環境における商品販売促進システム、商品販売促進方法並びにその方法をコンピュータに実行させるためのプログラムが記録された記録媒体に関するものである。
【背景技術】
【０００２】
例えば、従来のインターネット上の書籍販売サイトにおいては、求める書籍の題名、著者名、キーワード等を入力することにより検索、購買する方式が主流である。また、ネットのページ上に書籍の表紙、内容の要約、解説等の提示により書籍の一部閲覧を可能にし、限定された内容を告知して購買を促す形式のものもある。
【０００３】
また、背表紙等を合成し、日本図書コード等、分類法を基にした仮想の書棚を構成展開し、閲覧性を向上させようとする方法が提案されている（特開２００８−１５９０１１号公報、特開２００９−４８２８１号公報）。しかし、これらの方法の場合は、分類項目を越えた書籍の連関を見ることができず、また、背表紙だけでは十分に書籍の魅力を訴求できないといった問題がある。
【先行技術文献】
【特許文献】
【０００４】
【特許文献１】特開２００８−１５９０１１号公報
【特許文献２】特開２００９−４８２８１号公報
【発明の概要】
【発明が解決しようとする課題】
【０００５】
上述したように、従来のインターネット上の書籍販売サイトでは、求める書籍の題名、著者名、キーワード等を入力することにより検索、購買する方式が主流であるが、それは、求める書籍が確定していることが前提となるものであり、一般書店におけると同様に、棚を巡って書籍を閲覧、検討、比較した上で、注文、購買するという訳にはいかない。また、ネットのページ上に書籍の表紙、内容の要約、解説等の提示により書籍の一部閲覧を可能にし、限定された内容を告知することにより購買を促す方法の場合は、他の書籍との連関を知り、比較を図ることが困難であるために顧客の購買意欲を大いに減じ、併せて潜在的な購買意欲を刺激できない。
【０００６】
顧客は、実際の書店で行えるように様々な書籍を一望し、品揃え等を視覚的に把握することができて初めて満足のいく選択ができたと感じ、購買につながることを考えると、品揃えを視覚的に把握することができないサイトは、購買意欲を効果的に刺激しているとは言い難い。
【０００７】
また、従来のサイトは、紙、電子、点字、音声等といった書籍の形態や、購買可能、品切れ、絶版、古書、稀観本等といった書籍の状態ごとの対応でしかないために、顧客の利便性が損なわれる。同じく、インターネットサイト以外の仮想空間（電子書籍、電子カタログ等）には、従来の書籍購買のシステムすら組み込まれていないために、顧客の購買機会がなく、顧客の利便性が損なわれている。先行技術においては、背表紙等を合成し、日本図書コード等、分類法をもとにした仮想の書棚を構成し展開する方法も見受けられるが、分類項目を越えた書籍の連関を見ることができず、また、背表紙だけでは十分に書籍の魅力を訴求できないため、顧客の潜在的購買意欲を効果的に刺激することができないといった問題があった。
【０００８】
本発明はこのような諸事情に鑑みてなされたもので、上記従来方法におけるような問題がなく、インターネット接続環境における仮想空間上（書籍販売サイト、電子書籍、電子カタログ等）で、顧客の書籍その他の商品の購買意欲を刺激し、利便性を図ることにより、書籍の販売促進を図ることができる、写真画像データの作成方法及びそれを利用したインターネット接続環境における商品販売促進システム、商品販売促進方法並びにその方法をコンピュータに実行させるためのプログラムが記録された記録媒体を提供することを課題とする。
【課題を解決するための手段】
【０００９】
上記課題を解決するための請求項１に記載の発明は、撮影対象である多数の商品を陳列した状態の棚を適宜区分して、各区分ごとにデジタルカメラで撮影を行って区分画像を得る工程と、前記区分画像を合成して、前記棚の全景及び／又は部分景の棚写真画像データを得る工程とから成り、前記各区分ごとの撮影は一点透視図法により行い、前記一点透視図法における消滅点は、前記区分された撮影対象の内容及びサイズに応じて、複数位置に設定されることを特徴とする写真画像データの作成方法である。
【００１０】
前記デジタルカメラによる各区分ごとの撮影は、前記デジタルカメラを、レーザー墨出し器、レーザー水準器、直定規、直角定規その他の精密計器を介して、垂直方向及び／又は水平方向に精確に移動させることにより行うこととし、また、前記デジタルカメラは、１３００万画素以上のものであることが好ましい。
【００１１】
上記課題を解決するための請求項４に記載の発明は、上記写真画像データの作成方法を用いた、インターネット接続環境における商品販売促進システムであって、多数の商品を陳列した棚の写真画像を提供する販売者側システムと、インターネットを介して前記販売者側システムに接続される複数の顧客側端末とから成り、前記販売者側システムは、前記棚を適宜区分して各区分ごとにデジタルカメラで撮影した区分画像を合成することにより、前記棚の全景及び／又は部分景の棚写真画像データを作成する手段と、前記区分画像から前記棚に陳列された商品の個別写真画像データを作成する手段と、前記棚写真画像データ及び前記個別写真画像データを記憶部に記憶保存する手段と、前記顧客側端末からの要求に基づき、該当する前記棚写真画像データ及び／又は前記個別写真画像データを前記記憶部から抽出し、インターネットを介して前記顧客側端末に送信する手段とを備え、前記各顧客側端末は、インターネットを介して前記販売者側システムに、前記棚写真画像データ及び／又は前記個別写真画像データの送信要求をする手段と、前記販売者側システムから送信された前記棚写真画像データ及び／又は前記個別写真画像データを表示する手段とを備えていることを特徴とする、インターネット接続環境における商品販売促進システムである。
【００１２】
好ましい実施形態においては、前記顧客側端末は更に、表示された前記棚写真画像データ及び／又は前記個別写真画像データを参照し、前記販売者側システムに購入要求を送信する手段を備え、前記販売者側システムは更に、前記顧客側端末からの購入要求を受信する手段と、前記購入要求に基づいて精算をする手段とを備え、また、前記記憶部には更に、前記棚写真画像データに含まれる個々の商品の詳細情報が、前記個別写真画像データに関連付けられて記憶保存される。
【００１３】
上記課題を解決するための請求項７に記載の発明は、上記写真画像データの作成方法を用いた、インターネット接続環境における商品販売促進方法であって、多数の商品を陳列した棚を適宜区分し、各区分ごとにデジタルカメラで一点透視図法により撮影して複数の区分画像を得るステップと、前記複数の区分画像を合成して、前記棚の全景及び／又は部分景の棚写真画像データを作成するステップと、前記区分画像から前記棚に陳列された商品の個別写真画像データを作成するステップと、前記棚写真画像データ及び前記個別写真画像データを記憶部に記憶保存するステップと、前記各顧客側端末から、インターネットを介して前記販売者側システムに、前記棚写真画像データ及び／又は前記個別写真画像データの送信要求をするステップと、前記販売者側システムにおいて、前記顧客側端末からの送信要求に基づき、前記記憶部から該当する前記棚写真画像データ及び／又は前記個別写真画像データを抽出し、インターネットを介して前記顧客側端末に送信するステップと、前記顧客側端末において、前記販売者側システムから送信された前記棚写真画像データ及び／又は前記個別写真画像データを表示するステップとを含むことを特徴とするインターネット接続環境における商品販売促進方法である。
【００１４】
好ましい実施形態においては、前記顧客側端末において、前記表示された前記棚写真画像データ及び／又は前記個別写真画像データを参照し、前記販売者側システムに購入要求を送信するステップと、前記販売者側システムにおいて、前記顧客側端末からの購入要求を受信し、受信した前記購入要求に基づいて精算をするステップとを更に備える。
【００１５】
上記課題を解決するための請求項９に記載の発明は、上記写真画像データの作成方法を用いたインターネット接続環境における商品販売促進方法の、下記ステップをコンピュータに実行させるためのプログラムが記録された記録媒体である。
−多数の商品を陳列した棚を適宜区分し、各区分ごとにデジタルカメラで一点透視図法により撮影して得た複数の区分画像を合成して、前記棚の全景及び／又は部分景の棚写真画像データを作成するステップ
−前記区分画像から前記棚に陳列された商品の個別写真画像データを作成するステップ
−前記棚写真画像データ及び前記個別写真画像データを記憶部に記憶保存するステップ
−前記各顧客側端末から、インターネットを介して前記販売者側システムに、前記棚写真画像データ及び／又は前記個別写真画像データの送信要求をするステップ
−前記販売者側システムにおいて、前記顧客側端末からの送信要求に基づき、前記記憶部から該当する前記棚写真画像データ及び／又は前記個別写真画像データを抽出し、インターネットを介して前記顧客側端末に送信するステップ
−前記顧客側端末において、前記販売者側システムから送信された前記棚写真画像データ及び／又は前記個別写真画像データを表示させるステップ。
【００１６】
上記課題を解決するための請求項１０に記載の発明は、上記写真画像データの作成方法を用いて作成された棚写真画像データ及び個別写真画像データ、並びに、個別商品情報を、ＣＤ、ＤＶＤその他の電子データ記録媒体に記録して成る電子出版物である。
【発明の効果】
【００１７】
本発明は上述したとおりであって、撮影対象である多数の商品を陳列した状態の棚を適宜区分して、各区分ごとにデジタルカメラで一点透視図法により撮影した区分画像を合成して、前記棚の全景及び／又は部分景の棚写真画像データを得て、これを購買者側端末において閲覧可能にするものであり、その棚写真画像は一点透視図法により撮影した区分画像を合成したものである。
【００１８】
そのため顧客は、例えば商品が書籍の場合には、実際の書店にいるかの如き臨場感の下で、様々な書籍等の商品を一望し、品揃え等を視覚的に把握することが可能となり、以て、インターネット接続環境における仮想空間上（書籍販売サイト、電子書籍、電子カタログ等）において、あるいは、上記棚写真画像データ及び個別写真画像データを含む、ＣＤ、ＤＶＤその他の電子データ記録媒体に記録された電子カタログを含む電子出版物を介して顧客の商品購買意欲が刺激され、且つ、利便性が図られる結果、商品の販売促進を期待し得る効果がある。
【図面の簡単な説明】
【００１９】
【図１】本発明に係る写真画像データの作成方法における撮影方法を示す概略構成図である。
【図２】本発明に係る写真画像データの作成方法における消滅点の設定例を示す図である。
【図３】本発明に係る写真画像データの作成方法によって作成した棚の全景写真画像の例（一部の書籍のみ記載してある）を示すものである。
【図４】本発明に係る写真画像データの作成方法によって作成した棚の部分景写真画像の例（図３で四角で囲った部分）を示すものである。
【図５】本発明に係る写真画像データの作成方法によって作成した商品の個別写真画像の例（図４で四角で囲った部分）を示すものである。
【図６】本発明に係るインターネット接続環境における商品販売促進システムの概略構成を示すブロック図である。
【図７】本発明に係るインターネット接続環境における商品販売促進方法における処理の流れを示すフローチャートである。
【発明を実施するための形態】
【００２０】
以下に、本発明を実施するための形態について、図面に依拠して説明する。先ず、本発明に係る写真画像データの作成方法は、撮影対象である多数の商品を陳列した状態の棚を適宜区分して、各区分ごとにデジタルカメラで撮影を行って区分画像を得る工程と、前記区分画像を合成して、前記棚の全景及び／又は部分景の棚写真画像データを得る工程とから成り、前記各区分ごとの撮影は一点透視図法により行い、前記一点透視図法における消滅点は、前記区分された撮影対象の内容に応じて、複数位置に設定されることを特徴とするものである。
【００２１】
図１は、上記方法を実施するための、デジタルカメラ１による撮影方法を示す概略構成図である。なお、以下の説明は販売商品が書籍の場合に関するものであるが、本発明において対象となる販売商品としては、書籍の他に、洋酒・酒類、被服、靴類等が考えられ、更にそれらの組み合わせが考えられる。そして、それらの場合も書籍の場合に準ずることを理解されたい。販売商品が書籍の場合の撮影対象は、種々の且つ多数の書籍を並べた棚７ということになる。本発明においては、顧客に臨場感を感取させるという狙いから、実際の書店における陳列状態をそのまま、デジタルカメラ１で撮影する。その解像度は商品に応じて選択されるが、例えば書籍の場合は、１３００万画素以上のデジタルカメラ１を用いることが好ましい。
【００２２】
デジタルカメラ１には水準器２が装備され、それを用いてデジタルカメラ１はカメラ支持手段３に水平・垂直方向に正しくクランプされる。そして、カメラ支持手段３は、レーザー墨出し器４やレーザー水準器５等の精密測量機器を用いて測量することにより作成される上下の基準線６、６ａに沿って、デジタルカメラ１を支持しつつ、Ｘ・Ｙ軸方向に精確に移動可能にされる（垂直移動手段及び水平移動手段は図示してない。）。カメラ支持手段３には、デジタルカメラ１の棚面に対するねじれを測定し、また、補正するための重り８を取り付けることもある。
【００２３】
そして、棚７を適宜面積ごとに区分し（必ずしも均等区分である必要はない。）、各区分ごとの撮影を、これらの機器を用いてデジタルカメラ１を精確に移動させて、一点透視図法によって行う。言うまでもなく一点透視図法は、水平線上に１つの消滅点（消失点）を持つもので、この場合、視界に存在する全ての平行な直線は距離に比例してこの消滅点に近づいて行き、やがて消失する。
【００２４】
この消滅点をどこに置くかは、区分された撮影対象の内容に応じて決定される。例えば、消滅点は、通例複数設定される垂直線の高位置Ｈ、中位置Ｍ、低位置Ｌの３個所に設定され（図２参照）、その場合、デジタルカメラ１を各垂直線に沿って垂直移動させ、高位置Ｈ、中位置Ｍ、低位置Ｌの各高さ位置において、一点透視図法により棚７の撮影を行う。その後デジタルカメラ１を、水平方向に一定距離移動させて隣接する垂直線上に配し、上記同様にして、高位置Ｈ、中位置Ｍ、低位置Ｌの各高さ位置において棚７の撮影を行う。
【００２５】
このようにして撮影した各区分画像をコンピュータに取り込み、実際の棚７に対応するように合成させることで、棚７の全景写真画像データ（図３参照。なお、図３では書籍は棚７の一部にしか示されていないが、実際の写真では書籍は棚７一杯となっていることは言うまでもない。）及び／又は部分景写真画像データ（図４参照）が得られる。各区分画像は、それぞれ独立した遠近法（一点透視図法）を内在したものであるため、合成された全景写真画像データは、高精細であると共に、１枚の画像内に複数の遠近法が存在するものとなる。
【００２６】
本発明に係るインターネット接続環境における商品販売促進システムは、上記写真画像データの作成方法を用いるものであって、図６に示されるように、多数の商品を陳列した棚７の写真画像データを提供する販売者側システム１１と、インターネット３１を介して販売者側システム１１にアクセス可能に接続される、複数の顧客側端末２１とで構成される。
【００２７】
販売者側システム１１は、管理サーバー１２とデータベース１３とを含んで構成される。管理サーバー１２は、棚７を適宜区分して各区分ごとにデジタルカメラ１で撮影した区分画像を取り込んで合成して、棚７の全景及び／又は部分景の棚写真画像データを作成する棚写真画像データ作成手段と、取り込んだ区分画像から棚７に陳列された商品の個別写真画像データ（図５参照）を作成する個別写真画像データ作成手段と、作成した棚写真画像データ及び個別写真画像データをそれぞれ、データベース１３の該当記憶部に記憶保存するデータベース管理システムとを有する。
【００２８】
管理サーバー１２はまた、顧客側端末２１からの配信要求を受け付け、その配信要求に基づき、データベース１３から検出した該当の棚写真画像データ及び／又は個別写真画像データを顧客側端末２１に配信する送受信手段を含む。通例、販売者側システム１１には、顧客側端末２１からの購買注文に応じて精算を行うための精算手段１４が含まれる。
【００２９】
データベース１３には、上記棚写真画像データ及び個別商品画像データの写真画像データを格納する棚写真画像データ格納部１５及び個別商品画像データ格納部１６と、それら写真画像データに含まれる個々の商品の詳細情報（書籍の場合は著者名、内容の概略・抜粋、発行日、価格等）を蓄積する個別商品情報データ格納部１７とが含まれ、更に必要に応じ、他社情報ページデータ格納部１８が含まれる。
【００３０】
各顧客側端末２１は、インターネット３１を介して販売者側システム１１に、棚写真画像データ及び／又は個別写真画像データ等の配信要求や購買注文をし、販売者側システム１１から配信される棚写真画像データ等を受信する入力手段２２及び送受信手段２３と、販売者側システム１１から配信された棚写真画像データ等を表示する表示制御手段２４とを備える。
【００３１】
次に、上記構成の商品販売促進システムにおける処理の流れについて、図７を参照しつつ説明する。なお、ここでの説明は、販売者側システム１１における、棚７を適宜区分し、各区分ごとにデジタルカメラ１で一点透視図法により撮影して複数の区分画像を得るステップ、前記複数の区分画像を合成して、棚７の全景及び／又は部分景の棚写真画像データを作成するステップ、前記区分画像から棚７に陳列された商品の個別写真画像データを作成するステップ、及び、棚写真画像データ及び前記個別写真画像データを記憶部に記憶保存するステップを経た後の処理に関するものである。
【００３２】
先ず、顧客は、顧客側端末２１からインターネット３１を介して販売者側システム１１にアクセスし、顧客側端末２１に入力画面を表示させ、そこから販売者側システム１１に向けて、マウス、キーボード、マイク等の入力手段２２により、所望の全景又は部分景の棚写真画像データの送信要求をする。販売者側システム１１では、この顧客側端末２１からの送信要求に基づき、データ格納部から該当する棚写真画像データを抽出し、インターネット３１を介して顧客側端末２１に送信し、顧客側端末２１に当該棚画像を表示させる（Ｓ１０１）。
【００３３】
購入希望者は、表示された棚画像を見て、更に他の棚画像を閲覧するかどうかの選択要求に応答する（Ｓ１０２）。次いで、選択した棚画像に対し、転回、拡大又は縮小をするかどうかの選択要求がなされ（Ｓ１０３〜Ｓ１０５）、それに対する応答後、表示された棚画像に含まれる個別書籍の選択操作をする（Ｓ１０６）。
【００３４】
その後、指定された書籍が一般書かどうかの判断がなされ（Ｓ１０７）、一般書でない場合は更に、電子書籍かどうかの判断がなされる（Ｓ１０８）。指定された書籍が一般書の場合及び電子書籍の場合には、顧客側端末２１に個別書籍情報が表示され（Ｓ１０９）、顧客はそれを参照して購入するかどうかを決定し、購入を希望する場合は購入希望要求の入力操作をする（Ｓ１１０）。この購入希望要求は、販売者側システム１１の購買受発注手段において受け付けられて、精算までの処理がなされる（Ｓ１１１）。
【００３５】
一方、指定した書籍が一般書ではなく、且つ、電子書籍でもない場合は、点字・音声書籍かどうか、並びに、古書かどうかの判断がなされる（Ｓ１１２、Ｓ１１３）。そして、点字・音声書籍の場合には、リンクされている点字図書館等のＷｅｂページに移動させるための処理がなされ（Ｓ１１４）、以後は、リンクされている点字図書館等のＷｅｂページに従った処理となる。
【００３６】
また、点字・音声書籍ではなく、古書又は絶版書籍（Ｓ１１５）である場合は、購買可能かどうかの判断がなされ（Ｓ１１６）、購買可能な場合には、古書・絶版本購買システムに移動し（Ｓ１１７）、購買不可の場合には、リンクされている図書館等のＷｅｂページに移動させるための処理がなされる（Ｓ１１８）。
【００３７】
上記実施形態は、インターネット接続環境における仮想空間上（書籍販売サイト、電子書籍、電子カタログ等）における商品販売方法に関するものであるが、上記棚写真画像データ及び個別写真画像データ、並びに、個別商品情報を、ＣＤ、ＤＶＤその他の電子データ記録媒体に記録して成る電子カタログを含む電子書籍等の電子出版物を顧客に供給し、上記同様の操作をさせることによっても、顧客の商品購買意欲を刺激し、且つ、利便性を与えて、商品の販売促進を企図することが可能である。
【００３８】
この発明をある程度詳細にその最も好ましい実施形態について説明してきたが、この発明の精神と範囲に反することなく広範に異なる実施形態を構成することができることは言うまでもない。従って、この発明は、添付請求の範囲において限定した以外はその特定の実施形態に制約されるものではない。
【符号の説明】
【００３９】
１    デジタルカメラ
２    水準器
３    カメラ支持手段
４    レーザー墨出し器
５    レーザー水準器
６    基準線
６ａ  基準線
７    棚
８    重り
１１    販売者側システム
１２    管理サーバー
１３    データベース
１４    精算手段
１５    棚写真画像データ格納部
１６    個別商品画像データ格納部
１７    個別商品情報データ格納部
１８    他社情報ページデータ格納部
２１    顧客側端末
２２    入力手段
２３    送受信手段
２４    表示制御手段
３１    インターネット
【図１】
2012146214.tif 000003
【図２】
2012146214.tif 000004
【図３】
2012146214.tif 000005
【図４】
2012146214.tif 000006
【図５】
2012146214.tif 000007
【図６】
2012146214.tif 000008
【図７】
2012146214.tif 000009